【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
音波を電気信号に変換するうことで得られた音響データを出力する音波収集手段と、
周期的な動作を行う駆動手段と、
前記駆動手段の駆動の一周期分に対応する音響データを格納する記憶手段と、
前記音波収集手段で出力された音響データと第１の重み付け係数とを乗算し、前記記憶手段に格納された同位相の音響データと第２の重み付け係数とを乗算し、２つの乗算の結果を加算して前記記憶手段を更新する更新手段と、
前記音波収集手段で得られた音響データが所定の閾値範囲にあるか否かを判定する判定手段と、
該判定手段で前記音波収集手段で得られた音響データが前記所定の閾値範囲にあると判定した場合、前記第１の重み付け係数をＫ１（Ｋ１＜１）、前記第２の重み付け係数をＫ２（Ｋ２＝１−Ｋ１）とし、前記判定手段で前記音波収集手段で得られた音響データが前記所定の閾値範囲にないと判定した場合、前記第１の重み付け係数をＫ１’（Ｋ１’＜Ｋ１＜１）、第２の重み付け係数をＫ２’（Ｋ２’＝１−Ｋ１’）に変更する重み付け係数変更手段と、
前記記憶手段より出力された前記音響データを前記音波収集手段より出力された音響データから減算し、減算の結果をノイズ除去された音響データとして出力する減算手段と、
を備えたことを特徴とする電子機器。
【請求項２】
前記音波収集手段で収集する音響データのゲインを調整する調整手段と、
該調整手段によるゲインの調整に応じて、前記閾値範囲を変更する閾値変更手段を更に備えることを特徴とする請求項１に記載の電子機器。
【請求項３】
前記駆動手段は、音響データを記憶及び再生する磁気テープの搬送部と、当該磁気テープに音響データを記録するための記録ヘッドを搭載した回転ドラムで構成されることを特徴とする請求項１に記載の電子機器。
【請求項４】
音波を電気信号に変換することにより得られた音響データを出力する音波収集手段と、周期的な動作を行う駆動手段と、前記駆動手段の駆動の一周期分に対応する音響データを格納する記憶手段とを備える電子機器の制御方法であって、
前記音波収集手段で出力された音響データと第１の重み付け係数とを乗算し、前記記憶手段に格納された同位相の音響データと第２の重み付け係数とを乗算し、２つの乗算の結果を加算して前記記憶手段を更新する更新工程と、
前記音波収集手段で得られた音響データが所定の閾値範囲にあるか否かを判定する判定工程と、
該判定工程で前記音波収集手段で得られた音響データが前記所定の閾値範囲にあると判定した場合、前記第１の重み付け係数をＫ１（Ｋ１＜１）、前記第２の重み付け係数をＫ２（Ｋ２＝１−Ｋ１）とし、前記判定工程で前記音波収集手段で得られた音響データが前記所定の閾値範囲にないと判定した場合、前記第１の重み付け係数をＫ１’（Ｋ１’＜Ｋ１＜１）、第２の重み付け係数をＫ２’（Ｋ２’＝１−Ｋ１’）に変更する重み付け係数変更工程と、
前記記憶手段より出力された前記音響データを前記音波収集手段より出力された音響データから減算し、減算の結果をノイズ除去された音響データとして出力する減算工程と、
を備えたことを特徴とする電子機器の制御方法。
【請求項５】
前記音波収集手段で収集する音響データのゲインを調整する調整工程と、
該調整工程におけるゲインの調整に応じて、前記閾値範囲を変更する閾値変更工程を更に備えることを特徴とする請求項４記載の電子機器の制御方法。
【請求項６】
前記駆動手段は、音響データを記憶及び再生する磁気テープの搬送部と、当該磁気テープに音響データを記録するための記録ヘッドを搭載した回転ドラムで構成されることを特徴とする請求項４に記載の電子機器の制御方法。
【請求項７】
撮像手段と、
音波を電気信号に変換することにより得られた音響データを出力する音波収集手段と、
前記撮像手段並びに音波収集手段で得られた映像データ並びに音響データを記録する駆動を行なう駆動手段とを有するビデオカメラ装置であって、
前記駆動手段の駆動の一周期分に対応する音響データを格納する記憶手段と、
前記音波収集手段で出力された音響データと第１の重み付け係数とを乗算し、前記記憶手段に格納された同位相の音響データと第２の重み付け係数とを乗算し、２つの乗算の結果を加算して前記記憶手段を更新する更新手段と、
前記音波収集手段で得られた音響データが所定の閾値範囲にあるか否かを判定する判定手段と、
該判定手段で前記音波収集手段で得られた音響データが前記所定の閾値範囲にあると判定した場合、前記第１の重み付け係数をＫ１（Ｋ１＜１）、前記第２の重み付け係数をＫ２（Ｋ２＝１−Ｋ１）とし、前記判定手段で前記音波収集手段で得られた音響データが前記所定の閾値範囲にないと判定した場合、前記第１の重み付け係数をＫ１’（Ｋ１’＜Ｋ１＜１）、第２の重み付け係数をＫ２’（Ｋ２’＝１−Ｋ１’）に変更する重み付け係数変更手段と、
前記記憶手段より出力された前記音響データを前記音波収集手段より出力された音響データから減算し、減算の結果をノイズ除去された音響データとして出力する減算手段と、
を備えたことを特徴とするビデオカメラ装置。
【請求項８】
前記音波収集手段で収集する音響データのゲインを調整する調整手段と、
該調整手段によるゲインの調整に応じて、前記閾値範囲を変更する閾値変更手段を更に備えることを特徴とする請求項７記載のビデオカメラ装置。
【請求項９】
前記駆動手段は、音響データを記憶及び再生する磁気テープの搬送部と、当該磁気テープに音響データを記録するための記録ヘッドを搭載した回転ドラムで構成されることを特徴とする請求項７に記載のビデオカメラ装置。
【請求項１０】
撮像手段と、
音波を電気信号に変換することにより得られた音響データを出力する音波収集手段と、
前記撮像手段並びに音波収集手段で得られた映像データ並びに音響データを記憶する駆動を行なう駆動手段と、
前記駆動手段の駆動の一周期分に対応する音響データを格納する記憶手段と
を有するビデオカメラ装置の制御方法であって、
前記音波収集手段で出力された音響データと第１の重み付け係数とを乗算し、前記記憶手段に格納された同位相の音響データと第２の重み付け係数とを乗算し、２つの乗算の結果を加算して前記記憶手段を更新する更新工程と、
前記音波収集手段で得られた音響データが所定の閾値範囲にあるか否かを判定する判定工程と、
該判定工程で前記音波収集手段で得られた音響データが前記所定の閾値範囲にあると判定した場合、前記第１の重み付け係数をＫ１（Ｋ１＜１）、前記第２の重み付け係数をＫ２（Ｋ２＝１−Ｋ１）とし、前記判定工程で前記音波収集手段で得られた音響データが前記所定の閾値範囲にないと判定した場合、前記第１の重み付け係数をＫ１’（Ｋ１’＜Ｋ１＜１）、第２の重み付け係数をＫ２’（Ｋ２’＝１−Ｋ１’）に変更する重み付け係数変更工程と、
前記記憶手段より出力された前記音響データを前記音波収集手段より出力された音響データから減算し、減算の結果をノイズ除去された音響データとして出力する減算工程と、
を備えたことを特徴とするビデオカメラ装置の制御方法。
【請求項１１】
前記音波収集手段で収集する音響データのゲインを調整する調整工程と、
該調整工程におけるゲインの調整に応じて、前記閾値範囲を変更する閾値変更工程を更に備えることを特徴とする請求項１０記載のビデオカメラ装置の制御方法。
【請求項１２】
前記駆動手段は、音響データを記憶及び再生する磁気テープの搬送部と、当該磁気テープに音響データを記録するための記録ヘッドを搭載した回転ドラムで構成されることを特徴とする請求項１０に記載のビデオカメラ装置の制御方法。
【手続補正２】
【補正対象書類名】明細書
【補正対象項目名】０００８
【補正方法】変更
【補正の内容】
【０００８】
この課題を解決するため、例えば本発明の電子機器は以下の構成を備える。すなわち、
音波を電気信号に変換するうことで得られた音響データを出力する音波収集手段と、
周期的な動作を行う駆動手段と、
前記駆動手段の駆動の一周期分に対応する音響データを格納する記憶手段と、
前記音波収集手段で出力された音響データと第１の重み付け係数とを乗算し、前記記憶手段に格納された同位相の音響データと第２の重み付け係数とを乗算し、２つの乗算の結果を加算して前記記憶手段を更新する更新手段と、
前記音波収集手段で得られた音響データが所定の閾値範囲にあるか否かを判定する判定手段と、
該判定手段で前記音波収集手段で得られた音響データが前記所定の閾値範囲にあると判定した場合、前記第１の重み付け係数をＫ１（Ｋ１＜１）、前記第２の重み付け係数をＫ２（Ｋ２＝１−Ｋ１）とし、前記判定手段で前記音波収集手段で得られた音響データが前記所定の閾値範囲にないと判定した場合、前記第１の重み付け係数をＫ１’（Ｋ１’＜Ｋ１＜１）、第２の重み付け係数をＫ２’（Ｋ２’＝１−Ｋ１’）に変更する重み付け係数変更手段と、
前記記憶手段より出力された前記音響データを前記音波収集手段より出力された音響データから減算し、減算の結果をノイズ除去された音響データとして出力する減算手段とを備える。